(57)【特許請求の範囲】
【請求項１】
少なくとも１つの光源と、該少なくとも１つの光源に割り当てられた少なくとも１つの導光装置（１０）を含み、少なくとも１つの導光装置（１０）は、少なくとも１つの光源から放射されかつ当該導光装置に入射される光を案内するよう構成された、乗り物の、とりわけ自動車両の照明装置（２０）であって、
導光装置（１０）は、照明装置（２０）の支持フレーム（２２）に組付け可能に構成され、かつ、
・入射された光の少なくとも一部を出射するための少なくとも１つの出射要素（１８）を有するヘッド部分（１２）と、
・光源からの光の入射に適合された入射領域（１５）を含みかつ入射された光をヘッド部分（１２）に案内可能に構成された案内部分（１１）
を含み、
入射領域（１５）は、当該入射領域（１５）の長手軸（ｃ）に対し横方向に突出する少なくとも１つのロック要素（１３１、１３２）を含む第１固定装置（１３）を有し、入射領域（１５）は、支持フレーム（２２）の第１固定部位（２３）に嵌込み可能に構成されかつ第１固定部位（２３）において第１固定装置によってロック可能に構成されており、
ヘッド部分（１２）は、当該ヘッド部分（１２）を支持フレーム（２２）の第２固定部位（２４）に固定するための第２固定装置（１４）を有し、
導光装置（１０）は、入射領域（１５、１５’）は第１固定部位（２３、２６、２７）に嵌め込まれているがヘッド部分（１２）は第２固定部位（２４）にまだ固定されていない状態では、第１固定部位（２３、２６、２７）において、長手軸（ｃ）の周りで又はその横方向に運動可能、即ち旋回可能ないしシフト可能である、
照明装置。
【請求項２】
請求項１に記載の照明装置（２０）において、
少なくとも１つのロック要素（１３１、１３２）は、入射領域（１５）と一体的に構成されている、
照明装置。
【請求項３】
請求項１又は２に記載の照明装置（２０）において、
ロック要素（１３１）は、入射領域（１５）における突出するノーズであり、該ノーズは、入射領域（１５）の光入射面（１７）から離隔する側において、当接面（１３３）を形成している、
照明装置。
【請求項４】
請求項１〜３の何れかに記載の照明装置（２０）において、
入射領域（１５）は、長手軸（ｃ）に沿ってずらされて配置されている２つのロック要素（１３１、１３２）を有する、
照明装置。
【請求項５】
請求項４に記載の照明装置（２０）において、
前記２つのロック要素（１３１、１３２）は、長手軸（ｃ）に関し異なる角度位置に配置されている、
照明装置。
【請求項６】
請求項４又は５に記載の照明装置（２０）において、
２つのロック要素（１３１、１３２）は夫々１つの当接面（１３３、１３４）を有し、該２つの当接面は互いに対し逆方向に配向されており、及び、
第１固定部位（２３）には、ロック要素の当接面と協働する対向面（２３２、２３３）が設けられている、
照明装置。
【請求項７】
請求項６に記載の照明装置（２０）において、
前記２つの当接面は向い合っている、
照明装置。
【請求項８】
請求項６又は７に記載の照明装置（２０）において、
対向面（２３２、２３３）は、支持フレーム（２２）の少なくとも１つの棚状部材（２５）の上面及び下面として構成されている、
照明装置。
【請求項９】
請求項１〜３の何れかに記載の照明装置（２０）において、
入射領域は、対向配置された複数の当接面を有するロック要素を有し、及び、
第１固定部位には、支持フレームの夫々１つの棚状部材に形成されておりかつロック要素の当接面と協働する２つの対向面が設けられている、
照明装置。
【請求項１０】
請求項１〜９の何れかに記載の照明装置（２０）において、
入射領域（１５）は、導光装置の実質的に円柱状の端部として構成されており、光の入射は、光入射面としての円柱状端部の前額面（１７）を介して実行される、
照明装置。
【請求項１１】
請求項１〜１０の何れかに記載の照明装置（２０）において、
第２固定装置（１４）は、少なくとも１つの係止要素（１４１）、即ち係止爪又は係止爪受け、を含み、該係止要素は、第２固定部位（２４）の対応する対向要素（２４１）、即ち係止爪受け又は係止爪、と係止が行われるように協働する、
照明装置。
【請求項１２】
請求項１１に記載の照明装置（２０）において、
第２固定装置（１４）は、更に、支持フレーム（２２）におけるヘッド部分（１２）のセンタリングのために第２固定部位（２４）の対応するノッチ及び／又突起と協働する少なくとも１つのセンタリング装置（１４２）を含む、
照明装置。
【請求項１３】
請求項１〜１２の何れかに記載の照明装置（２０）において、
固定部位（１３）は、非透光性であり、かつ、その中に嵌め込まれた導光装置（１０）の入射領域（１５）と共に、照明装置の内部への散乱光を遮断する結合を形成する、
照明装置。
【発明の詳細な説明】
【技術分野】
【０００１】
本発明は、乗り物のための、とりわけ自動車両のための照明装置に関し、とりわけ、少なくとも１つの光源と、該少なくとも１つの光源に割り当てられた少なくとも１つの導光装置を含み、少なくとも１つの導光装置は、少なくとも１つの光源から放射されかつ当該導光装置に入射される光を案内するよう構成された照明装置に関し、とりわけ更に、導光装置は、照明装置の支持フレームに組付け可能に構成され、かつ、
・入射された光の少なくとも一部を出射するための１つの又は（好ましくは）複数の出射要素を有するヘッド部分（とりわけいわゆる照明リング（Leuchtring））と、
・入射方向に沿った光源からの光の入射に適合された入射領域を含みかつそのように入射された光をヘッド部分に案内可能に構成された案内部分
を含む照明装置に関する。
【背景技術】
【０００２】
この種の照明装置は、例えば、自動車両のヘッドライトのようなヘッドライトである。この種の照明装置は、例えば、ＤＥ１００４０３０２Ｂ４から既知である。この文献は、光源からの光が導光体を介して案内され、導光体は照明リングに類似する末端部分を有し、該末端部分から照明目的で光放射されること；導光体はスリーブによってホルダに保持されることを記載している。しかしながら、スリーブのような特別の構造部材の使用は不利である。
【先行技術文献】
【特許文献】
【０００３】
【特許文献１】ＤＥ１００４０３０２Ｂ４
【０００４】
導光体の固定は、従来の装置では、追加の構造部材を使用して螺合又は締付固定によって行われる。このため、導光体の固定及び所望の位置でのセンタリングは、相当に大がかりなものとなる。この場合、更に、導光体を外部に対して覆い隠す導光体の不可欠の遮蔽を達成するために、追加のカバー部材が必要である。
【発明の概要】
【発明が解決しようとする課題】
【０００５】
それゆえ、本発明の課題は、とりわけ自動車両ヘッドライトのような照明装置における導光装置の簡単な固定を提供することであり、とりわけ、光の入射部位に関しても放射のための出射要素に関しても導光体の位置の固定を、簡単な手段で、それにも拘らず高い信頼性を以って可能にすることである。
【課題を解決するための手段】
【０００６】
この課題は、冒頭に掲げたタイプの導光装置ないし照明装置によって以下の如く解決される。この装置において、本発明に応じ、入射領域は、当該入射領域の長手軸に対し横方向に突出する少なくとも１つのロック要素を含む第１固定装置を有する。ヘッド部分は、当該ヘッド部分を支持フレームの第２固定部位に固定するための第２固定装置を有する。入射領域は、かくして、支持フレームの第１固定部位に（例えば第１固定部位に設けられている相応の開口部に）嵌込み可能に構成されかつ第１固定部位において第１固定装置によってロック可能に構成されている。
【発明を実施するための形態】
【０００７】
この方策により、支持フレーム従って光源に対する正確な位置決めを保証する（例えばヘッドライトにおける）照明装置の支持フレームにおける導光装置のための信頼性の高いロック及びセンタリングシステムが得られる。同時に、支持フレームにおいて入射領域を第１固定部位に嵌め込むことにより、外部に対する光供給（漏光：Lichteinspeisung）は遮断される。更に、導光体構造部材のより簡単かつより迅速な組付けが達成され、ネジ及び／又は止め具のような追加の固定用部材を不要とすることができる。従って、有利なことに、追加の部材を使用することなく、第１固定部位における入射領域の固定を行うことができる。
【０００８】
更に、簡単化され、それにも拘らず高信頼性でかつ確実な組付けが、一発展形態によって得られる。この形態によれば、導光装置は、入射領域が第１固定部位に嵌め込まれているが、ヘッド部分は第２固定部位にまだ固定されていない状態で、第１固定部位において、長手軸の周りで又は長手軸に対し横方向に運動可能である、即ち、長手軸の周りで旋回可能ないし長手軸に対し横方向にシフト可能である。
【０００９】
構造部材の数の削減及びその結果としての組付け（組立て）の簡単化は、（１つ又は複数の）ロック要素が入射領域と一体的に構成されることによっても達成することができる。
【００１０】
有利な一実施形態において、ロック要素は、入射領域における突出するノーズによって実現されるように構成可能である。ここで、このノーズは、入射領域の光入射面から離隔する側（反対側）において、当接面（Anschlagsflaeche）を形成する。この当接面は、嵌込み状態において固定部位から外部への運動を１つの方向において阻止するために、とりわけ固定部位の対応する面と協働（係合）することができる。
【００１１】
有利な一実施形態において、入射領域は、好ましくは長手軸に沿ってずらされた位置に配された（離隔配置されている）２つのロック要素を有することができる。２つのロック要素は、好ましくは（互いに）異なる角度位置に配置可能である。２つのロック要素は、好ましくは互いに向い合っている（向い合うよう配向された）当接面を有することができる。これらの当接面は、好ましい一実施形態においては共通のハウジングリブ（Gehaeuserippe）（棚状（帯状）部材：Leiste）の上面及び下面として構成されているハウジングの対向面（複数）に対応する（協働する）；一変形形態においては、複数の対向面は夫々異なる棚状部材に設けられることも可能である。複数のロック要素を異なる角度位置に配置することは、第１ロック要素の嵌込みに応じて、第２ロック要素がハウジング棚状部材の上側対向面に当接（係合）し、かくしてロック運動の回転面が機械的に確定されるという利点を有する。
【００１２】
代替的に、当接面（複数）は、互いに対し背く方向に配向されることも可能である。この実施形態では、これらの当接面は、異なる又は同じロック要素に設けられることも可能である。この場合、関連する対向面（複数）は、好ましくは異なるハウジングリブ（ないし棚状部材）に設けられる。これら２つの実施形態は、固定部位から外への（抜け出す）運動を、嵌込み方向においても、その反対方向においても阻止する。
【００１３】
導光装置の有利な組付け（組立て）は、とりわけ、以下の形態、即ち、入射領域が導光体（Lichtleiter）の実質的に円柱（円筒）状の端部として構成され、光の入射が光入射面としての円筒状端部の前額面（前端面）を介して実行される形態によっても達成される。
【００１４】
これは、嵌込み及び嵌込み方向の周りでの旋回（回転）による丸い導光体の組付けを可能にし、導光体とハウジングの形状結合的結合（ありつぎ結合等の形状面間の嵌め合いによる結合）を可能にする。ハウジングは光学的に非透過性の材料で製造されているので、とりわけ固定部位が非透光性であるため、リフレクタやミラー化絞り（ミラーパネル）のようなヘッドライトの要素は入射領域により散乱光に対して遮蔽される。これは、とりわけ、光源からの出射角度がより大きいために導光体の全反射角の外部において入射面に入射するが導光体内には伝搬しない光に関する。
【００１５】
同様に好都合な一実施形態では、第２固定装置は、少なくとも１つの係止要素、即ち係止爪又は係止爪受け（Rastanschlag）、を含み、該係止要素は、第２固定部位の対応する対向要素、即ち係止爪受け又は係止爪、と係止が行われるように協働（係合）することができる。
【００１６】
以下に、本発明並びに更なる利点及び更なる形態を、添付の図面に示されている非限定的な実施例を用いて詳細に説明する。
なお、特許請求の範囲に付記した図面参照符号は専ら発明の理解を助けるためのものであり、本発明を図示の態様に限定することを意図していない。
【図面の簡単な説明】
【００１７】
【図１】本発明の一実施例の導光体（導光装置）の斜視図。
【図２】図１の導光体の入射領域の側面図。
【図３】入射領域の他の側面図。
【図４】ヘッドライトの支持フレームに導光体が組付けられた状態にある場合の入射領域。
【図５】支持フレームにおける（組付けられた）導光体の固定部位の底面図。
【図６】支持フレームにおける（組付けられた）導光体の固定部位の側面図。
【図７】組付けられた状態にある図１の導光体、但し、この導光体は第２の導光体と一緒に支持フレームに嵌め込まれている。
【図８】対応する固定部位に組付けられた状態にある照明リングの固定装置の詳細図。
【図９】関連する固定部位に導光体の入射領域を嵌め込んだ状態を示す図。
【図１０】図９の状態に続いて導光体をその組付け位置に運動させる様子を示す図。
【図１１】組付け位置における２つの導光体の入射領域の配置を示す図。
【図１２】導光体がスロットガイド（Kulissenfuehrung）としてのスリット状切欠へのスライド挿入によって嵌込可能な他の一実施例の固定部位の斜視図。
【図１３】屈曲したスロットガイドを有する一変形例。
【図１４】図１２又は図１３の固定部位に嵌込可能な導光体の案内部（Zuleitung）の入射領域。
【実施例】
【００１８】
以下に説明する本発明の実施例は、（例えばＰＫＷ（乗用車）のような）自動車両のためのヘッドライトにおける２つの導光体のロック可能な構成を示す。但し、本発明はそのような実施例に限定されず、寧ろ、該実施例に対し、当業者が容易に想到可能でありかつ特許請求の範囲の保護範囲に包含される任意の変形、修正、付加を施すことが可能であることに留意すべきである。
【００１９】
図１は、実施例の導光装置１０の斜視図である。導光装置１０は、以下においては、単に、導光体と称する。導光体１０は、これは既知の技術に応じて適切な導光材料から構成されかつ本質的に堅固（starr）であるが、案内部分１１とヘッド部分１２に分けられている。案内部分１１は、これは「案内部」とも略称されるが、有利には長尺に（細長く）形成され、好ましくはその横断面は長手方向において実質的に一定である（変化しない）；即ち、案内部は、概ね直線的な部分と湾曲した部分を有し得るロッド状形態を有し、図示の実施例では、短い直線的部分の形での入射領域１５と、これに引き続く２つの湾曲した屈曲部分と、これらの間に配された直線的部分から構成されている。例えば、案内部の横断面は−以下に説明するノーズのような付加的構造部材を除くと−丸みが付けられており、有利には円形をなす。ヘッド部分１２は、例えば、組付け状態（図７）において窓状のヘッドライト開口部の縁の周りに延在しかつその（延在の）推移に沿って１つ又は好ましくは複数の出射要素１８を有する照明リング（Leuchtring）である。なお、導光体に入射した光は出射要素１８を介して前方に出射することができる（図１にその放射方向ｄを矢印で示した）。出射要素１８に関する照明リング１２の形状は、本発明の対象ではなく、従って、本書において詳細には説明しないので、従来技術を参照されたい。本発明に応じ、案内部１１もヘッド部分（照明リング）１２も夫々固定装置１３、１４を有し、これらによって、導光体１０はヘッドライト２０（図７）に固定（結合）され、そこで所望の組付け位置においてロックされることができる。
【００２０】
図７から分かるように、図示の実施例の導光装置１０は、異なる又は同じ機能を有し得る２つの開口部２１、２１’（例えば一方の開口部２１はロービーム用、他方の開口部２１’はハイビーム用）を有するダブルヘッドライト２０の構造要素である。光窓の各々に対し、夫々特別に構成された照明リング１２、１２’を有する特有の導光装置１０、１０’が設けられる。そのため、第２導光装置１０’は、有利には、第１導光装置１０に対応するが、第２開口部２１’に適合された形状を有する。導光体１０、１０’及びヘッドライトの更なる不図示の構造要素は、ヘッドライトのハウジングないし支持フレーム２２に組込まれている。支持フレーム２２は、ヘッドライトの内部部材を外部から見えないようにするというその役割の観点から、「ブラインド（遮蔽部材：Blende）」とも称される。図７は、前方から見た支持フレーム２２の斜視図であり、従って、光放射は実質的に観察者に向って実行される。有利には、２つの導光体１０、１０’は、ヘッドライトの支持フレーム２２内に、本発明に従って同じ作業工程で嵌め込まれる。図７及びこれに関連する各図には、見易さの観点から、ヘッドライトのうち（２つの導光体及びこれらに付随する構造要素の他には）支持フレーム２２しか図示されていないが、導光体の案内部１１、１１’のカバーも、開示の目的のため、これらの案内部を視認可能にするために、除去されている（図示されていない）。更に、図７には、導光体１０、１０’に割り当てられた光源１６も模式的にしか図示されていない。これらの光源は、例えばＬＥＤ光源とすることができる。
【００２１】
図２及び図３を参照すると、案内部１１は、ヘッド部分１２から遠い側のその端部に、光源１６（図７）からの光を入射方向ｅに沿って入射のために設けられた入射面１７を介して入射するための既に説明した入射領域１５を有する。例えば、入射領域は、案内部１１の末端部分として構成され、円形の横断面と長手軸ｃを有する円柱体を有し、入射面１７はこの円柱体の前額面（前端面）によって構成される。一般的には、入射方向ｅは、長手軸ｃに対し平行である。
【００２２】
入射領域１５は、本発明に応じ、更に、入射領域１５を支持フレーム２２の対応する固定部位２３（図７）に固定可能にする第１固定装置１３を構成する（実現する）１つ又は複数の要素を含む。図示の例では、固定装置１３は、２つの突起ないしノーズ１３１、１３２から構成されている。尤も、これらは他の実施形態では異なる形態で構成されること、例えばただ１つの突起によって構成されることも勿論可能である。ノーズ１３１、１３２は、互いに対しずらされた位置に配置されており、有利には、入射領域１５の長手軸ｃに沿って異なる高さに及び／又は長手軸ｃの周りで異なる角度位置に配置される。
【００２３】
例えば図示の例ではノーズとして構成されているロック要素（複数）は、導光体の長手軸（図示の例では長手軸ｃ）に対し横方向に突出する部材であり、その境界面（複数）のうち少なくとも１つは、以下に説明するように−有利には平らな面部分（Flaechenstueck）として構成された−コンタクト面１３３、１３４として使用される。導光体及びその組込み要素は射出成形で製造可能である。組付けをより容易にするためには、バリや尖ったエッジは避ける必要がある。このため、境界面（複数）は、面取り斜面（Ansatzschraegen）１３５、１３６を介して入射領域の円柱体に移行する。
【００２４】
図４は、固定部位２３が位置する支持フレーム２２の領域についての、図５の矢視４−４断面図である。嵌め込まれている導光体（複数）の２つの入射領域の間に切断面が延在しているため、２つの導光体（より正確にはその案内部１１）の一方のみが視認可能である。導光体は組付け状態で図示されている（終位置）。下側ノーズ１３１は、固定部位２３の当接面２３３に係合している。より正確にいえば、ノーズ１３１は、光入射面１７から離隔する側に、当接面２３３に接触する上面１３３（図２及び図３参照）を有する。かくして、ノーズ１３１は、固定部位２３から抜け出す（離脱する）（即ち図４の紙面上側への）入射領域の不所望の運動を妨げる。この不所望の運動は、導光体への光の入射の不良化或いは完全な無効化（阻止）を引き起こし得るものである。他方、上側ノーズ１３２は、光源に向う光入射面１７の過大な移動／押付け（Andruecken）を阻止するために、反対方向への係止を可能にする下面１３４を有する。このため、下面１３４は、例えば入射領域が挿し込まれるフレーム棚状部材（Rahmenleiste）２５の上側によって形成される固定部位２３の対向面２３２に当接する。
【００２５】
図５は、固定部位２３の底面図であり、嵌め込まれている２つの導光体の端部、従って光入射面１７が視認可能になっている。図６は、固定部位２３の側面についての、図５の矢視６−６断面図である。第１導光体１０の第１固定装置１３の例では、下側ノーズ１３１と、該ノーズ１３１の終位置に対し所定の角度αだけ回転された位置に形成された切欠２３１を見出すことができる。切欠２３１は、入射領域１５の嵌込みを可能にするために利用され、入射領域１５は、導光体の嵌込みの間に、長手軸ｃの周りで角度αだけ回転される。図６には、当接面２３３の形態も見出すことができる。当接面２３３は、回転運動の最終段階における当接面２３３へのノーズ１３１の嵌め合せ（乗り上げ）を容易化するために、面取り斜面（ないし乗り上げ斜面：Auflaufschraegung）２３４を有する。
【００２６】
再び図１及び図７を参照すると、導光体１０のヘッド部分１２には、関連する開口部２１の縁に設けられた支持フレームの固定部位２４と協働（係合）する第２固定装置１４が設けられている。これによって達成される固定は、有利には、開口部２１の周縁部の正確な位置への照明リング１２の取付けに役立つ。
【００２７】
図８は、関連する固定部位２４において嵌め込まれた状態にある、斜め上方から見た第２固定装置１４を示す。第２固定装置１４は、ロック要素（ないし係止要素）１４１、この例では例えばフレームの形での係止爪受け（Rastanschlag）を含む。ロック要素１４１は、この例では固定部位２４の例えば上方に配向された面に形成された弾性爪２４１として形成された対応する対向要素２４１と協働（係合）する。一変形例において、係止（ロック）作用を奏するこれらの２つの要素は異なるように構成することも勿論可能である。とりわけ、係止爪と係止爪受けを逆にすることも可能である。更に、照明リング１２のセンタリングのための装置を好都合な態様で設けることも可能である。例えば、固定部位２４には、係止爪２４１の両側に、２つの楔状ノッチ（陥凹部）２４２が設けられ、該ノッチには、照明リング１２の対応するセンタリングピン１４２が嵌り込み、開口部２１の周りでの支持フレーム２２に対する所望の位置での照明リング１２のセンタリングが行われる。この場合も、一変形例において、センタリング装置は異なるように構成することも可能である。例えば、センタリングノッチを照明リングに形成し、固定部位のセンタリングピンと協働するよう構成することも可能である。
【００２８】
第２導光体１０’は、支持フレーム２２の（第２）固定部位２４’に専用の固定装置１４’によって相応の態様で固定することができる。
【００２９】
図９〜図１１は、本発明に応じた導光装置１０の組付けプロセスを示す。
【００３０】
図９に示されているように、導光体１０は、その終位置に対し角度αだけ回転された位置（「嵌込位置」）において、好ましくは光入射方向ｅと一致する長手軸ｃに沿って運動し、固定部位２４に嵌め込まれる。その際、入射領域１５を形成する導光体の端部は、固定部位２４の開口部に挿入され、かくして、ノーズ１３１は、第２ノーズ１３２がストッパーとして対向面２３２に当接するまで、固定部位２４の切欠２３１を貫通して案内されることができる。導光体１０は、第１固定部位２３におけるこのようにして達成された（即ち入射領域１５が第１固定部位２３に嵌め込まれている）状態において、入射領域の長手軸ｃの周りで運動することができる、より正確にいえば旋回することができる。
【００３１】
次に、図１０に示されているように、旋回運動によって、ヘッド部分１２は開口部２１に向って移動し、かくして、第２固定装置１４は第２固定部位２４に到達し、そこで係止される。このようにして、導光体１０は、その終位置において固定される。固定部位２４における固定装置１４のラッチ結合の形成は、図８を参照して上述したように、好ましくは係止爪２４１と係止爪受け１４１の噛み合いによって行われる。
【００３２】
図１１は、そのようにして達成された終位置について、入射領域１５が嵌め込まれている第１固定部位２３の詳細図である。上側ノーズ１３２のための対向面２３２を形成する棚状部材は、上側ノーズ１３２と下側ノーズ１３１（図６）の間のクランプ位置（Klemmung）にある。下側ノーズ１３１は切欠２３１に対して角度αだけずらされているため、入射領域１５の抜け出し（離脱）は不可能である。このようにして、バヨネット結合の原理により、終位置として望まれる位置における導光体全体の確実なロックが形成される。
【００３３】
一方では案内部１１における光入射の領域での、他方では照明リング１２における適切な位置での２つの固定装置の組み合わせにより、本発明は、ヘッドライトの支持フレーム２２における導光装置１０の組付けの安定性を改善する。入射領域１５における固定装置１５によって、例えば２つのノーズ１３１、１３２による挟み付けによる、確実な位置決めが形成され、更には、振動に対して不感性の結合が得られる。ラッチ結合によって、支持フレーム２２に対する照明リング１２のより正確な位置決めが形成され、その際、入射領域１５における光入射の位置決めの適正性に対する悪影響を受忍する必要はない（適正性は損なわれない）。
【００３４】
本発明は、図示の実施例に限定されないことは勿論である。寧ろ、添付の特許請求の範囲の保護範囲を逸脱しない範囲においてなされる多様な変更・付加が可能である。例えば、入射領域は、互いに向いあう当接面を有するロック要素を１つのみ有し、他方、第１固定部位に、支持フレームの夫々１つの棚状部材に形成された２つの対向面が設けられ（従って、これら２つの棚状部材は、ロック要素が嵌合する区画（Fach）を形成する）、これらの対向面がロック要素の当接面（複数）と協働することも可能である。
【００３５】
本発明の他の一変形例によれば、導光装置が第１固定部位に嵌め込まれ、そこで、旋回運動する代わりに、長手軸に対して横方向にシフトされる（移動される）。これについては、図１２〜図１４に示した実施例に基づいて説明する。
【００３６】
図１２は、第１固定部位に、スリット状の切欠２６１を有する棚状部材２５の一バリエーションとして構成された棚状部材２６を示す。この直線的な切欠２６１には、入射領域１５’（図１４）を横方向運動によって、即ち長手軸ｃに対し横方向に、スライドして挿入することができる。図１３は、棚状部材の更なるバリエーション２７を示す。この棚状部材２７では、切欠２７１は、異なる方向の部分通路に沿ったスライド挿入を引き起こす曲折したスロット状のガイド（案内通路）として構成されている。切欠２６１、２７１は、より正確にいえばそれらの終端領域２６２、２７２は、第２固定部位２４において結合が形成される方向と同じ方向に延在することが好ましい。
【００３７】
図１４は、この実施例に応じた導光体の案内部１１’の入射領域１５’を示す。この場合、固定装置１３’は、例えば、２対のノーズ１３１’、１３２’を有する。これらのノーズは、切欠の終端領域２６２、２７２において、（紙面の）左側及び右側において夫々支持されることができ、これは、とりわけ、互いに向き合うよう配向されておりかつそれらの間に棚状部材が、より正確には切欠２６１、２７１付近の棚状部材の縁部分が収容される（挟み込まれる）、コンタクト面１３３’、１３４’によって行われる。入射領域１５’が、終端領域２６２、２７２に嵌め込まれているとき、当該領域から不所望な態様で離脱することを阻止するために、終端領域の入口部分に、後退運動に対するストッパーを形成する弾性要素を設けることができる。代替的に又は追加的に、終端領域は、相応にタイトな形状に基づく挟み付け作用によって、入射領域１５’を保持することも可能である。
以下に、本発明の好ましい実施の形態を付記する。
（形態１）少なくとも１つの光源と、該少なくとも１つの光源に割り当てられた少なくとも１つの導光装置を含み、少なくとも１つの導光装置は、少なくとも１つの光源から放射されかつ当該導光装置に入射される光を案内するよう構成された、乗り物の、とりわけ自動車両の照明装置が提供される。この照明装置において、
導光装置は、照明装置の支持フレームに組付け可能に構成され、かつ、
・入射された光の少なくとも一部を出射するための少なくとも１つの出射要素を有するヘッド部分と、
・光源からの光の入射に適合された入射領域を含みかつ入射された光をヘッド部分に案内可能に構成された案内部分
を含み、
入射領域は、当該入射領域の長手軸に対し横方向に突出する少なくとも１つのロック要素を含む第１固定装置を有し、入射領域は、支持フレームの第１固定部位に嵌込み可能に構成されかつ第１固定部位において第１固定装置によってロック可能に構成されており、
ヘッド部分は、当該ヘッド部分を支持フレームの第２固定部位に固定するための第２固定装置を有する。
（形態２）上記の照明装置において、導光装置は、入射領域は第１固定部位に嵌め込まれているがヘッド部分は第２固定部位にまだ固定されていない状態では、第１固定部位において、長手軸の周りで又はその横方向に運動可能、即ち旋回可能ないしシフト可能であることが好ましい。
（形態３）上記の照明装置において、少なくとも１つのロック要素は、入射領域と一体的に構成されていることが好ましい。
（形態４）上記の照明装置において、ロック要素は、入射領域における突出するノーズであり、該ノーズは、入射領域の光入射面から離隔する側において、当接面を形成していることが好ましい。
（形態５）上記の照明装置において、入射領域は、長手軸に沿ってずらされて、好ましくは異なる角度位置に配置されている２つのロック要素を有することが好ましい。
（形態６）上記の照明装置において、２つのロック要素は夫々１つの当接面を有し、該２つの当接面は互いに対し逆方向に配向され、好ましくは向い合っており、及び、第１固定部位には、ロック要素の当接面と協働する対向面が設けられていることが好ましい。
（形態７）上記の照明装置において、対向面は、支持フレームの少なくとも１つの棚状部材の上面及び下面として構成されていることが好ましい。
（形態８）上記の照明装置において、入射領域は、対向配置された複数の当接面を有するロック要素を有し、及び、第１固定部位には、支持フレームの夫々１つの棚状部材に形成されておりかつロック要素の当接面と協働する２つの対向面が設けられていることが好ましい。
（形態９）上記の照明装置において、入射領域は、導光体（導光装置）の実質的に円柱状の端部として構成されており、光の入射は、光入射面としての円柱状端部の前額面を介して実行されることが好ましい。
（形態１０）上記の照明装置において、第２固定装置は、少なくとも１つの係止要素、即ち係止爪又は係止爪受け、を含み、該係止要素は、第２固定部位の対応する対向要素、即ち係止爪受け又は係止爪、と係止が行われるように協働することが好ましい。
（形態１１）上記の照明装置において、第２固定装置は、更に、支持フレームにおけるヘッド部分のセンタリングのために第２固定部位の対応するノッチ及び／又突起と協働する少なくとも１つのセンタリング装置を含むことが好ましい。
（形態１２）上記の照明装置において、固定部位は、非透光性であり、かつ、その中に嵌め込まれた導光装置の入射領域と共に、照明装置の内部への散乱光を遮断する結合を形成することが好ましい。
【図１】
0006336212.tif 000002
【図２】
0006336212.tif 000003
【図３】
0006336212.tif 000004
【図４】
0006336212.tif 000005
【図５】
0006336212.tif 000006
【図６】
0006336212.tif 000007
【図７】
0006336212.tif 000008
【図８】
0006336212.tif 000009
【図９】
0006336212.tif 000010
【図１０】
0006336212.tif 000011
【図１１】
0006336212.tif 000012
【図１２】
0006336212.tif 000013
【図１３】
0006336212.tif 000014
【図１４】
0006336212.tif 000015